(57)【要約】      （修正有）【課題】外部の明るさに対応する明るさ制御装置を追加設置する場合には電源を屋内配線電源ラインとは異なる所から簡単に取り出す方法を提供する。【解決手段】照明装置に後付する集中制御部から遠隔操作される自動照度調整装置の電源を屋内配線電源ライン以外から取り出す。（１）照明素子電流を電圧変換する方法で取り出す。たとえば蛍光灯管接続線にカレントトランスを設ける方法や蛍光灯管にカレントトランスを設ける方法などによる。（２）照明素子点灯光を太陽電池で電力変換する方法による。【選択図】図−１
2009187918.tif 000002
【特許請求の範囲】
【請求項１】
明るさ調整ができる照明装置で外部の明るさ値を検出して明るさ調整を行う装置を後で取り付ける時にこの装置の電源を屋内配線電源ラインとは異なる所から簡単に取り出す方法を特徴とする。
【発明の詳細な説明】
【技術分野】
【０００１】本発明は現状の明るさ調整照明装置を外部の明るさに対応させた省エネ効果の大きい制御方式に変更するときに追加する明るさ制御装置の電源の取得方法に関する。
【背景技術】
【０００２】屋内配線電源ラインに接続される電子機器の電源は電源ラインに接続して構成するのが一般的である。
照明器具を外部の明るさ対応した明るさ調整装置を内蔵したものに取り替えるのであればこの明るさ調整装置の電源は照明装置から供給する方法になるが後付け方式では屋内配線電源ラインに接続して別の電源回路を構成する必要がある。
屋内配線電源ライン以外で電力を取り出す方法として以下の２種類の方法がある。
Ａ  照明装置では光エネルギを外部に放出しているので光電圧変換素子で取り出す方法。
Ｂ  照明素子までは電力が供給されているのでこの電流成分のごく一部を電圧変換して取り出す方法。現在、蛍光灯は電子バラストによる高周波電流でドライブされている。ここにきて商品化が始まったＬＥＤは明るさ調整のためにＰＷＭドライブ方式が使われている。従ってＬＥＤ照明装置でもドライブ電流から電圧を取り出すことが可能である。【０００３】電子バラストに別付けで明るさ調整装置を設置する時の電源の取得方法として屋内配線に接続する方法は一般的で周知の内容である。
磁性体素子（カレントトランス）を使い電流を磁界にして電圧に変換する方法、蛍光灯の光エネルギを太陽電池で電圧に変換する事は周知の技術である。別付けの蛍光灯の明るさ調整装置において屋内配線に接続しないで電源を蛍光灯の電流から取り出すあるいは照明光から取り出す場合の効果は大きい。
【事例のもつ課題】
【０００４】現状の明るさ調整照明装置を外部の明るさに対応する明るさ制御装置を追加設置する場合にその電源は屋内配線電源ラインに接続する事になる。
Ａ  蛍光灯器具は電源ラインに直接接続されているので別に電源ラインに接続する電源を作るときは電源ラインの位相を合わせて接続にしないと制御回路出力を蛍光灯器具に接続する時に短絡電流が流れる場合がある、従って位相合わせを行うか絶縁トランスを介する必要がある。
Ｂ  電源ラインに接続して専用の電源を構成する場合は雷等のパルス性ノイズ対策回路あるいは電源回路から発生するノイズが電源ライン側に漏洩する事を防止する回路が必要になる。
Ｃ  屋内配線電源ラインに取り出し線を接続する場合は工数の多い工事が必要になりコスト高になる。
【発明の開示】
【発明が解決しようとする課題】
【０００５】製品と設置工事コストの低減
電源ライン接続による位相違いによる短絡電流の発生対策
外来ノイズ対策、内部発生ノイズの外部漏洩対策
【課題を解決する為の手段】
【０００６】屋内配線電源ラインに直接接続しなで間接的にエネルギを電圧として取り出す。
蛍光灯管電流を電圧変換する。
明るさを統制できる蛍光灯は高周波交流で点灯させており管と管に接続されるリード線には高周波電流が流れる。
この電流で発生する磁界を使い電圧へ変換する。リング状のカレントトランスの内側に蛍光灯管電流を流しカレントトランスに磁束を発生させ、磁性体に巻線したコイルに発生する電圧を取り出す。
【０００７】蛍光灯電流は管の一方の端子に接続されたリード線から管に流れ込み管の中をながれてもう一方の端子に接続されたリード線から流れ出すのでカレントトランスはリード線に配置するか管に配置する。
【０００８】蛍光灯は点灯により管表面から充分な光が放射されるので管のごく近傍に太陽電池パネルを配置して電圧を取り出す。
【発明の効果】
【０００９】電流をカレントトランスで取り出すので非接触となり電源ラインからは完全に絶縁される。
【００１０】位相違いによる短絡電流が流れない。
【００１１】蛍光灯器具の電源回路の後に電子バラスト回路がありその出力に蛍光灯管が接続されている。電源ラインのパルス性ノイズは器具電源回路で吸収されて蛍光灯リード線部では大きく減衰している。また別付けの制御回路側からの発生するノイズも器具電源回路のフィルタで外部漏洩が防止される。
【００１２】管電流を電圧に変換するカレントトランスは非接触構造なので器具側との結合が非常に弱くノイズ減衰は非常に大きい。
【００１３】管電流を電圧に変換するカレントトランスはリング状の形状であり、設置済みのリード線を内部に通す事は不可能であるがリングを直径方向で２分割する構造にすれば開いた状態でリード線をはさみ、その後に張り合わせてリングを閉じればリングの中に簡単にリード線を通す事ができ、工事コストが少なくできる。
【００１４】蛍光灯管に対しても同様な方法が可能である。（リード線が非常に太いと考えると良い）
また蛍光灯管は取り外しが簡単にできるので一度、管を外してリングを通して再度、管を取り付ければよい、いずれの方法でも工事コストは少なくできる。
【００１５】太陽電池で電圧変換する場合は電気から光にして再度、電気と完全に分離した機構なので全く独立した電源回路が構成できる。
位相違いの短絡電流も屋内配線電ラインノイズの影響も全く発生しない。
【００１６】管に近接させて太陽電池を配置すれば良いので管を挟み込む構造を設ければ簡単に設置でき工事費を少なくできる。
【００１７】電流を電圧に変換する方法でも太陽電池で光エネルギを変換する方法でも電源が動作するのは蛍光灯の点灯に連動する。壁のスイッチのオンとオフに連動するので蛍光灯が点灯すると自動的に明るさ制御調整回路の動作がスタートする。電源がオンになったことでプログラムが開始し、またオンとオフの期間を蛍光灯の点灯期間として自動的にプログラムでタイマのスタートとストップを行うことができる。
但し、タイマがストップしてプログラムがストップするので蛍光灯がオフになっても極わずかの期間、電源の電力を保持する回路が必要になる。
【発明の形態】
【００１８】本発明の形態は図１，図２のようになる。
蛍光灯の電流がリング状カレントトランスの中央を流れるようにして電流エネルギの一部を取り出す。
リング状のカレントトランスは直径方向で２個に分割できるようにする。分割された状態で蛍光灯接続済みのリード線を挟みギャップが残らないように組み合わせると電力変換ロスを抑えることができる。接続リード線を動かす作業がないので設置コストを低減できる。
分割しないカレントトランスの場合には接続リード線をバラストの接続コネクタから一度抜いてカレントトランスに通して再度接続リード線をコネクタに挿入すればよい。
太陽電池を使う場合は室内への照明効率を低下させなくて蛍光灯の発熱の影響が少なく照明に影響しない場所、たとえば側面側に設置する。熱による電力変換効率の低下をおさえ変換に必要な光をできるだけ取り込む事ができる場所になる。
いずれの方法も明るさを変化させているので蛍光灯管に流れる電流が変化し発光輝度も変化する。従ってこの変化の影響がないような安定化回路を設ける。また明るさ制御回路の消費電流も変化するのでこれに対する安定化回路ももうける。
【図面の簡単な説明】
【００１９】
【図−１】：蛍光灯に磁性体電流電圧変換素子を配置の構成
【図−２】：蛍光灯に太陽電池を近接配置した構成
【図−３】：従来の方式の電源供給方式
【図−１】
2009187918.tif 000003
【図−２】
2009187918.tif 000004
【図−３】
2009187918.tif 000005